【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
ジョブ処理装置におけるジョブ処理方法であって、
入力された画像データを印刷するジョブを受付ける受付工程と、
前記ジョブ処理装置を、前記受付工程でジョブを受付けた場合に当該ジョブを処理する通常モード、または、前記ジョブ処理装置を調整するための設定を受付けるサービスモードで動作させる制御工程と、
前記ジョブ処理装置が前記サービスモードで動作している状態でジョブの印刷を実行するか否かを、予め選択する選択工程と、
前記選択工程で前記ジョブ処理装置が前記サービスモードで動作している状態においてジョブの印刷を実行するよう予め選択されている場合、前記ジョブ処理装置が前記受付工程で受付けたジョブの印刷を、前記サービスモードで動作している状態であっても許可し、
前記選択工程で前記ジョブ処理装置が前記サービスモードで動作している状態でジョブの印刷を実行しないよう予め選択されている場合、前記ジョブ処理装置が前記受付工程で受付けたジョブの印刷を、前記サービスモードで動作している状態では制限するジョブ処理工程とを備えることを特徴とするジョブ処理方法。
【請求項２】
前記ジョブ処理装置は、ネットワークを介して外部装置と接続可能であり、
前記通常モードは、前記受付工程で前記外部装置から受付けたジョブを処理するモードを含み、前記サービスモードは前記外部装置から前記ジョブ処理装置を調整するための設定を受付けるモードを含むことを特徴とする請求項１に記載のジョブ処理方法。
【請求項３】
前記サービスモードは、前記ジョブ処理装置の定着器を調整するための設定、前記ジョブ処理装置によるステープルの位置を調整するための設定、前記ジョブ処理装置のクリーニングを行うための設定、前記ジョブ処理装置の現像器の現像剤を攪拌するための設定の少なくともいずれかの設定を受付けるためのモードであることを特徴とする請求項１または２に記載のジョブ処理方法。
【請求項４】
前記通常モードにおけるジョブの処理は、外部装置から受信した画像データ、または前記ジョブ処理装置の読取部によって画像を読み取って得られた画像データを印刷する処理を含むことを特徴とする請求項１乃至３のいずれか１項に記載のジョブ処理方法。
【請求項５】
前記サービスモードにより受付けた設定に基づく前記ジョブ処理装置の調整を実行した後、前記調整の結果をユーザに確認させるためのテストプリントを実行する実行工程を更に備えることを特徴とする請求項１乃至４のいずれか１項に記載のジョブ処理方法。
【請求項６】
前記選択工程では、前記ジョブ処理装置が前記サービスモードで動作している状態で受付けたジョブをメモリに保管し、前記サービスモード終了後に、前記メモリに保管されたジョブを印刷する保管処理を選択可能であり、
前記ジョブ処理工程では、前記選択工程で前記保管処理が選択された場合に、前記ジョブ処理装置が前記サービスモードで動作している状態で受付けたジョブをメモリに保管し、前記サービスモード終了後に、前記メモリに保管されたジョブを印刷するよう制御することを特徴とする請求項１乃至５のいずれか１項に記載のジョブ処理方法。
【請求項７】
前記保管処理が選択された場合に、前記ジョブ処理工程では、前記サービスモード終了後において、前記保管されたジョブの中からプリントすべきジョブをユーザに選択させ、選択されたジョブを印刷することを特徴とする請求項６に記載のジョブ処理方法。
【請求項８】
前記ジョブ処理装置を調整するために前記ジョブ処理装置の電源をＯＦＦにすることが必要となった場合に、直ちに電源をＯＦＦにするか、受信したジョブに対する、前記選択工程によって選択された処理の完了を待って電源をＯＦＦにするかを設定する設定工程を更に備えることを特徴とする請求項１乃至７のいずれか１項に記載のジョブ処理方法。
【請求項９】
ジョブ処理装置であって、
入力された画像データを印刷するジョブを受付ける受付手段と、
前記ジョブ処理装置を、前記受付手段によってジョブを受付けた場合に当該ジョブを処理する通常モード、または、前記ジョブ処理装置を調整するための設定を受付けるサービスモードで動作させる制御手段と、
前記ジョブ処理装置が前記サービスモードで動作している状態においてジョブの印刷を実行するか否かを、予め選択する選択手段と、
前記選択手段によって前記ジョブ処理装置が前記サービスモードで動作している状態でジョブの印刷を実行するよう予め選択されている場合、前記ジョブ処理装置が前記受付手段によって受付けたジョブの印刷を、前記サービスモードで動作している状態であっても許可し、
前記選択手段によって前記ジョブ処理装置が前記サービスモードで動作している状態でジョブの印刷を実行しないよう予め選択されている場合、前記ジョブ処理装置が前記受付手段によって受付けたジョブの印刷を、前記サービスモードで動作している状態では制限するジョブ処理手段とを備えることを特徴とするジョブ処理装置。
【請求項１０】
前記ジョブ処理装置は、ネットワークを介して外部装置と接続可能であり、
前記通常モードは、前記受付手段によって前記外部装置から受付けたジョブを処理するモードを含み、前記サービスモードは前記外部装置から前記ジョブ処理装置を調整するための設定を受付けるモードを含むことを特徴とする請求項９に記載のジョブ処理装置。
【請求項１１】
前記サービスモードは、前記ジョブ処理装置の定着器を調整するための設定、前記ジョブ処理装置によるステープルの位置を調整するための設定、前記ジョブ処理装置のクリーニングを行うための設定、前記ジョブ処理装置の現像器の現像剤を攪拌するための設定の少なくともいずれかの設定を受付けるためのモードであることを特徴とする請求項９または１０に記載のジョブ処理装置。
【請求項１２】
前記通常モードにおけるジョブの処理は、外部装置から受信した画像データ、または前記ジョブ処理装置の読取部によって画像を読み取って得られた画像データを印刷する処理を含むことを特徴とする請求項９乃至１１のいずれか１項に記載のジョブ処理装置。
【請求項１３】
前記サービスモードにより受付けた設定に基づく前記ジョブ処理装置の調整を実行した後に、前記調整の結果をユーザに確認させるためのテストプリントを実行する実行手段を更に備えることを特徴とする請求項９乃至１２のいずれか１項に記載のジョブ処理装置。
【請求項１４】
前記選択手段は、前記ジョブ処理装置が前記サービスモードで動作している状態で受付けたジョブをメモリに保管し、前記サービスモード終了後に、前記メモリに保管されたジョブを印刷する保管処理を選択可能であり、
前記ジョブ処理手段は、前記選択手段によって前記保管処理が選択された場合に、前記ジョブ処理装置が前記サービスモードで動作している状態で受付けたジョブをメモリに保管し、前記サービスモード終了後に、前記メモリに保管されたジョブを印刷するよう制御することを特徴とする請求項９乃至１３のいずれか１項に記載のジョブ処理装置。
【請求項１５】
前記保管処理が選択された場合に、前記ジョブ処理手段は、前記サービスモード終了後において、前記保管されたジョブの中からプリントすべきジョブをユーザに選択させ、選択されたジョブを印刷することを特徴とする請求項１４に記載のジョブ処理装置。
【請求項１６】
前記ジョブ処理装置を調整するために前記ジョブ処理装置の電源をＯＦＦにすることが必要となった場合に、直ちに電源をＯＦＦにするか、受信したジョブに対する、前記選択手段によって選択された処理の完了を待って電源をＯＦＦにするかを設定する設定手段を更に備えることを特徴とする請求項９乃至１５のいずれか１項に記載のジョブ処理装置。
【請求項１７】
請求項１乃至８のいずれか１項に記載のジョブ制御方法をコンピュータに実行させるための制御プログラム。
【手続補正２】
【補正対象書類名】明細書
【補正対象項目名】発明の名称
【補正方法】変更
【補正の内容】
【発明の名称】ジョブ処理装置及びジョブ制御方法
【手続補正３】
【補正対象書類名】明細書
【補正対象項目名】０００９
【補正方法】変更
【補正の内容】
【０００９】
上記の目的を達成するための本発明によるジョブ制御方法は、
ジョブ処理装置におけるジョブ処理方法であって、
入力された画像データを印刷するジョブを受付ける受付工程と、
前記ジョブ処理装置を、前記受付工程でジョブを受付けた場合に当該ジョブを処理する通常モード、または、前記ジョブ処理装置を調整するための設定を受付けるサービスモードで動作させる制御工程と、
前記ジョブ処理装置が前記サービスモードで動作している状態でジョブの印刷を実行するか否かを、予め選択する選択工程と、
前記選択工程で前記ジョブ処理装置が前記サービスモードで動作している状態においてジョブの印刷を実行するよう予め選択されている場合、前記ジョブ処理装置が前記受付工程で受付けたジョブの印刷を、前記サービスモードで動作している状態であっても許可し、
前記選択工程で前記ジョブ処理装置が前記サービスモードで動作している状態でジョブの印刷を実行しないよう予め選択されている場合、前記ジョブ処理装置が前記受付工程で受付けたジョブの印刷を、前記サービスモードで動作している状態では制限するジョブ処理工程とを備える。